(57)【特許請求の範囲】
【請求項１】
油絵用の額縁と、この油絵用の額縁の内部あるいは内枠内に収納することができる押し花用額縁本体とから成る押し花用額縁であって、前記押し花用額縁本体は、前記油絵用の額縁の前部開口部あるいは内枠の前部開口部と同一、わずかに大きいあるいはわずかに小さい開口の前部開口部を有し、かつ、該押し花用額縁本体の前記前部開口部をカバーする透明なガラス板あるいはアクリル板の背面に押し花が密封状態に保存収納されていることを特徴とする押し花用額縁。
【請求項２】
油絵用の額縁と、この油絵用の額縁の内部あるいは内枠内に収納することができる前面が平坦面に形成された、該内部あるいは該内枠の厚さ寸法とほぼ同じ厚さ寸法の押し花用額縁本体とから成る押し花用額縁であって、前記押し花用額縁本体は、前記油絵用の額縁の前部開口部あるいは内枠の前部開口部と同一、わずかに大きいあるいはわずかに小さい前部開口の開口部を有し、かつ、該押し花用額縁本体の前記前部開口部をカバーする透明なガラス板あるいはアクリル板の背面に押し花が密封状態に保存収納されていることを特徴とする押し花用額縁。
【発明の詳細な説明】
【０００１】
【発明の属する技術分野】
本発明は押し花を飾ることができる押し花用額縁に関する。
【０００２】
【従来の技術】
従来の押し花用額縁は透明なガラスあるいはアクリル板の背面に押し花、台紙を位置させ、これらを覆うアルミ箔の外周部を前記ガラスあるいはアクリル板の外周部に密封状態で固定したものを、押し花用額縁本体内に収納し、裏蓋で脱落を防止できるように構成されている。
【０００３】
【発明が解決しようとする課題】
従来の押し花用額縁は内部に収納する押し花飾りを、額縁を構成する透明なガラスあるいはアクリル板を基に形成するため、額縁の形状が限られてしまうという欠点があった。
【０００４】
本発明は以上のような従来の欠点に鑑み、従来と同様に使用することができるとともに、油絵用の額縁の内枠内に収納して、豪華に飾ることができる押し花用額縁を提供することを目的としている。
【０００５】
本発明の前記ならびにそのほかの目的と新規な特徴は次の説明を添付図面と照らし合わせて読むと、より完全に明かになるであろう。
ただし、図面はもっぱら解説のためのものであって、本発明の技術的範囲を限定するものではない。
【０００６】
【課題を解決するための手段】
上記目的を達成するために、本発明は油絵用の額縁の内部あるいは内枠内に収納することができる押し花用額縁本体と、この押し花用額縁本体に形成された前記油絵用の額縁の前部開口部あるいは内枠の前部開口部と同一、わずかに大きいあるいはわずかに小さい開口の前部開口部とで押し花用額縁を構成している。
【０００７】
【発明の実施の形態】
以下、図面に示す実施の形態により、本発明を詳細に説明する。
【０００８】
図１ないし図７に示す本発明の第１の実施の形態において、１は本発明の押し花用額縁で、この押し花用額縁１は油絵用の額縁２の内枠３内に収納されるキャンパスと同様の輪郭形状に形成されたもので、前記油絵用の額縁２の内枠３の前部開口部４と同一、わずかに大きいあるいはわずかに小さい開口、本実施の形態ではほぼ同一開口の前部開口部５が形成された押し花用額縁本体６と、この押し花用額縁本体６内に収納される、透明なガラス板あるいはアクリル板７、このガラス板あるいはアクリル板７の背面に設けた押し花８、台紙９、この押し花８と台紙９を脱酸素剤１０や乾燥剤１１を介して覆い、外周部を前記ガラス板あるいはアクリル板７の外周部に接着剤等によって密封状態で固定されたアルミ箔や防湿シート１２とで構成される押し花飾り１３と、この押し花飾り１３の前記押し花用額縁本体６からの脱落を防止する、該押し花用額縁本体６の後部開口部１４内に挿入される裏蓋１５と、この裏蓋１５を着脱可能に係止する前記押し花用額縁本体６の背面に取付けられた複数個の係止具１６と、前記押し花用額縁本体６を吊り紐１７で吊り下げる吊り紐取付け具１８、１８とで構成されている。
【０００９】
上記構成の押し花用額縁１は図３に示すように、従来と同様に使用することができる。
また、図１および図２に示すように油絵用の額縁２の裏蓋１９を開放し、内枠３内に押し花用額縁１を収納して裏蓋１９を係止具２０で係止することにより、油絵用の額縁２内に収納して飾ることができる。
【００１０】
【発明の異なる実施の形態】
次に、図８ないし図２２に示す本発明の異なる実施の形態につき説明する。なお、これらの本発明の異なる実施の形態の説明に当って、前記本発明の第１の実施の形態と同一構成部分には同一符号を付して重複する説明を省略する。
【００１１】
図８ないし図１１に示す本発明の第２の実施の形態において、前記本発明の第１の実施の形態と主に異なる点は、前部開口部５側が直角形状となる前面部が平坦面の押し花用額縁本体６Ａを用いた点で、このように形成された押し花用額縁本体６Ａを用いて構成した押し花用額縁１Ａにしても、前記本発明の第１の実施の形態と同様な作用効果が得られるとともに、油絵用の額縁２に収納した場合、油絵用の額縁２の内枠３の前部開口部４と押し花用額縁本体６Ａの前部開口部５とが密着状態にでき、よりきれいに飾ることができる。
【００１２】
図１２ないし図１５に示す本発明の第３の実施の形態において、前記本発明の第１の実施の形態と主に異なる点は、油絵用の額縁２の内枠３の前部開口部４よりもわずかに大きくなる前部開口部５Ａを形成した押し花用額縁本体６Ｂを用いた点で、このように形成された押し花用額縁本体６Ｂを用いて構成した押し花用額縁１Ｂにしても、前記本発明の第１の実施の形態と同様な作用効果が得られるとともに、油絵用の額縁２に収納することにより、より立体感を出すことができる。
【００１３】
図１６ないし図１９に示す本発明の第４の実施の形態において、前記本発明の第１の実施の形態と主に異なる点は、ガラス板あるいはアクリル板７の背面に、内部に押し花８、台紙９、脱酸素剤１０、乾燥剤１１等が収納される浅箱状のケース体２１を密封状態で固定した押し花飾り１３Ａを用いた点で、このような押し花飾り１３Ａを用いて構成した押し花用額縁１Ｃにしても、前記本発明の第１の実施の形態と同様な作用効果が得られる。
【００１４】
図２０ないし図２２に示す本発明の第５の実施の形態において、前記本発明の第１の実施の形態と主に異なる点は、油絵用の額縁２Ａの内部に該額縁２Ａの前部開口部４Ａよりも小さい前部開口部５Ｂとなり、この周縁部が油絵用の額縁２Ａの段差として見えるように押し花用額縁本体６Ｃを形成した点で、このように形成した押し花用額縁本体６Ｃを用いて構成した押し花用額縁１Ｄにすることにより、油絵用の額縁２Ａの内部に収納した場合に押し花用額縁１Ｄの前部開口部５Ｂの周縁部を油絵用の額縁２Ａの段差として見せることができ、高級感を出すことができる。
【００１５】
【発明の効果】
以上の説明から明らかなように、本発明にあっては次に列挙する効果が得られる。
【００１６】
（１）油絵用の額縁の内部あるいは内枠内に収納することができる押し花用額縁本体と、この押し花用額縁本体に形成された前記油絵用の額縁の前部開口部あるいは内枠の前部開口部と同一、わずかに大きいあるいはわずかに小さい開口の前部開口部とで構成されているので、そのまま飾ることができるとともに、油絵用の額縁の内枠内にそのまま収納して飾ることができる。
したがって、額縁を替えて飾ることが容易で、気軽に行なうことができる。
【００１７】
（２）前記（１）によって、油絵用の額縁を利用することができるので、展示会等で豪華に飾ることができる。
【００１８】
（３）前記（１）によって、あらかじめ油絵用の額縁に収納するための特別な押し花飾りを形成することなく、押し花用額縁に使用する押し花飾りを形成するだけでよく、展示形態の多様化を図ることができる。
【００１９】
（４）前記（１）によって、油絵用の額縁に収納されるキャンパスの寸法とほぼ同じ大きさに形成すればよいので、容易で、安価に製造することができる。
【００２０】
（５）請求項２も前記（１）〜（４）と同様な効果が得られる。
【図面の簡単な説明】
【図１】本発明の第１の実施の形態の使用状態の正面図。
【図２】図１の２−２線に沿う断面図。
【図３】本発明の第１の実施の形態の単独での使用状態の説明図。
【図４】図３の４−４線に沿う断面図。
【図５】本発明の第１の実施の形態の背面図。
【図６】本発明の第１の実施の形態の分解斜視図。
【図７】本発明の第１の実施の形態の油絵用の額縁への収納状態の説明図。
【図８】本発明の第２の実施の形態の使用状態の正面図。
【図９】図８の９−９線に沿う断面図。
【図１０】本発明の第２の実施の形態の単独での使用状態の正面図。
【図１１】図１０の１１−１１線に沿う断面図。
【図１２】本発明の第３の実施の形態の使用状態の正面図。
【図１３】図１２の１３−１３線に沿う断面図。
【図１４】本発明の第３の実施の形態の単独での使用状態の正面図。
【図１５】図１４の１５−１５線に沿う断面図。
【図１６】本発明の第４の実施の形態の使用状態の正面図。
【図１７】図１６の１７−１７線に沿う断面図。
【図１８】本発明の第４の実施の形態の単独での使用状態の正面図。
【図１９】図１８の１９−１９線に沿う断面図。
【図２０】本発明の第５の実施の形態の使用状態の正面図。
【図２１】図２０の２１−２１線に沿う断面図。
【図２２】本発明の第５の実施の形態の油絵用の額縁への収納状態の説明図。
【符号の説明】
１、１Ａ、１Ｂ、１Ｃ、１Ｄ：押し花用額縁、
２、２Ａ：油絵用の額縁、３：内枠、
４、４Ａ：前部開口部、
５、５Ａ、５Ｂ：前部開口部、
６、６Ａ、６Ｂ、６Ｃ：押し花用額縁本体、
７：ガラス板あるいはアクリル板、
８：押し花、            ９：台紙、
１０：脱酸素剤、        １１：乾燥剤、
１２：アルミ箔や防湿シート、
１３、１３Ａ：押し花飾り、
１４：後部開口部、      １５：裏蓋、
１６：係止具、          １７：吊り紐、
１８：吊り紐取付け具、  １９：裏蓋、
２０：係止具、          ２１：ケース体。
【図１】
0004697995.tif 000002
【図２】
0004697995.tif 000003
【図３】
0004697995.tif 000004
【図４】
0004697995.tif 000005
【図５】
0004697995.tif 000006
【図６】
0004697995.tif 000007
【図７】
0004697995.tif 000008
【図８】
0004697995.tif 000009
【図９】
0004697995.tif 000010
【図１０】
0004697995.tif 000011
【図１１】
0004697995.tif 000012
【図１２】
0004697995.tif 000013
【図１３】
0004697995.tif 000014
【図１４】
0004697995.tif 000015
【図１５】
0004697995.tif 000016
【図１６】
0004697995.tif 000017
【図１７】
0004697995.tif 000018
【図１８】
0004697995.tif 000019
【図１９】
0004697995.tif 000020
【図２０】
0004697995.tif 000021
【図２１】
0004697995.tif 000022
【図２２】
0004697995.tif 000023